(57)【特許請求の範囲】
【請求項１】
壁面固定収納体に収納される音響機器もしくは音響部材から発生する音の防音構造であって、  相互に間隔を置いて配置された桟材が、既存壁の前方に隙間を介して配置され、前記桟材の前面に前記壁面固定収納体が固定されているとともに、前記桟材の前面における前記壁面固定収納体の周囲の空き平面部には面材が配置されていることを特徴とする防音構造。
【発明の詳細な説明】
【技術分野】
【０００１】
本発明は、音響機器や音響部材を収納した壁面固定収納体の配設にともなう防音構造に関するものである。
【背景技術】
【０００２】
従来より、コンクリート壁や乾式戸境壁に対向し、間隔を介して配設される内壁面に収納体を組込み一体化したビルトイン型の壁面固定収納体が知られており、この壁面固定収納体を配設固定した壁面構造についての工夫や、その断熱についての提案がなされてもいる（特許文献１−３）。
【０００３】
通常、たとえば図４の断面図に示したように、コンクリート壁あるいは乾式戸境壁や間仕切壁等の既存壁１に対向して壁面固定収納体２を配置する場合には、隙間３を介して木質材で桟４を組み、その上に石膏ボードや合板等の化粧用の面材５を取付け、これに壁面固定収納体２を固定するという、いわゆる「ふかし壁」構造として施工することが一般的に行われている。
【０００４】
しかしながら、このようなふかし壁の構造においては、たとえば図５のような、壁面固定収納体２の内部にテレビ６やステレオ装置等の音響機器や音響部材を収納する場合、これらの音響機器等の発生させる音により、図６にも示したように、壁面固定収納体２の背面に近接する化粧用の面材５と、この面材５とコンクリート壁等の既存壁１との間の隙間３内の空気が共振し、この共振によって低音域に共鳴透過と呼ばれる遮音性能低下現象が起き、音が発生する音源室としての部屋Ａの既存壁１を介して隣り合う部屋Ｂへの低音域の音の透過が不快なものとして無視できないという問題があった。特に、ホームシアターとして部屋Ａを用いる場合、近年ではウーハーを追加し、臨場感あふれる超低域の音を出す場合があるが、このような場合、隣り合う部屋Ｂへの超低域における音透過が生じて問題となる。
【特許文献１】特開２００２−２７６０７６号公報
【特許文献２】特開２０００−３０３６７７号公報
【特許文献３】特開平８−２０９９２１号公報
【発明の開示】
【発明が解決しようとする課題】
【０００５】
本発明は、以上のとおりの背景から、従来のふかし壁構造による壁面固定収納体の問題点を解消し、壁面固定収納体に音を発生する音響機器や音響部材を収納する場合であっても、コンクリート壁や乾式戸境壁、あるいは間仕切壁等の既存壁を介しての低音域の共鳴透過が起こり難く、壁全体としての遮音性能の低下を防ぐことのできる、壁面固定収納体の設置にともなう新しい防音構造を提供することを課題としている。
【課題を解決するための手段】
【０００６】
本発明の防音構造は、上記の課題を解決するものとして、壁面固定収納体に収納される音響機器もしくは音響部材から発生する音の防音構造であって、相互に間隔を置いて配置された桟材が、既存壁の前方に隙間を介して配置され、前記桟材の前面に前記壁面固定収納体が固定されているとともに、前記桟材の前面における前記壁面固定収納体の周囲の空き平面部には面材が配置されていることを特徴としている。
【発明の効果】
【０００９】
本発明によれば、従来のようなふかし壁構造に由来する低音域の共鳴透過が起こり難く、隣室との間を隔てる壁全体としての遮音性能の低下を防ぎ、これを良好とすることが可能となる。また、壁面固定収納体のその背面での桟材への安定した取付け固定も可能とされる。
【発明を実施するための最良の形態】
【００１１】
本発明の実施の形態について以下に詳しく説明する。
【００１２】
添付した図面の図１は、たとえば前記の図４のようなテレビ６あるいはステレオ装置等の音を発生する音響機器や音響部材が収納されている壁面固定収納体２０が、室内の床面７から天井８まである場合の第１の実施形態を例示した正面図とそのａ−ａ矢視断面図である。
【００１３】
この実施の形態においては、音が発生される音源室としての部屋Ａと隣り合う部屋Ｂとの間を構造的に隔離するコンクリートや乾式材による外壁、戸境壁、あるいは間仕切壁等の既存壁１に隙間３を介して配設される内壁面に前記の壁面固定収納体２０を固定配置するに際し、壁面固定収納体２０の背面では、床面７から天井８までに、相互に間隔を置いて配設した縦方向の桟材４０が配置されるようにしており、通常、内壁面を構成する化粧用等のための面材は欠除された状態としている。音を発生する壁面固定収納体２０が、その平面配置が壁面の全体を占めることなく、たとえば図１の正面図のように、左右、もしくはその一方に空き平面部１０を有する場合には、この部分には、桟材４０と化粧用等のための石膏ボードや合板等の面材とから構成される内壁面を配置してもよいし、あるいはこれを配置しなくてもよい。
【００１４】
いずれの場合であっても、壁面固定収納体２０の背面には、従来のふかし壁のように内壁面の構成部材としての面材が存在しないため、従来のようなふかし壁構造に由来する隣り合う部屋Ｂへの低音域の共鳴透過が起こり難く、部屋Ｂとの間を隔てる壁全体としての遮音性能の低下を防ぐことができる。
【００１５】
壁面固定収納体２０は、その背面において配置された桟材４０に固定することができ、また、床面７、天井８に対しても適宜に固定することもできる。
【００１６】
図２は、音を発生する壁面固定収納体２０が、床面７から天井８までない場合の第２の実施形態を例示した正面図とそのｂ−ｂ矢視断面図である。
【００１７】
この実施の形態においては、音響機器あるいは音響部材を収納した壁面固定収納体２０の背面では、相互に間隔を置いて配設した縦方向の桟材４０が配設されているが、壁面固定収納体２０の上部の天井８との間、並びにその左右の空き平面部１０には、桟材４０と化粧用の石膏ボード、合板等の面材５０とをもって構成された内壁面９０が配置されるようにしている。
【００１８】
音を発生する壁面固定収納体２０は、桟材４０に安定に固定することができる。床面７、天井８、さらには周辺の内壁面９０に固定するようにしてもよい。
【００１９】
この第２の実施形態においては、天井８との間等に空き平面部１０があっても、壁面固定収納体２０は、その周囲に内壁面９０が配置されていることから壁面としての外観性は良好であり、また、壁面固定収納体２０の背面では、桟材４０だけが配置されて、内壁面９０を構成する石膏ボードや合板等の面材５０が存在しないため、従来のようなふかし壁構成に由来する隣り合う部屋Ｂへの低音域の共鳴透過が起こりにくく、壁全体としての遮音性能の低下を防ぐことができる。
【００２０】
なお、前記の図１および図２での桟材４０は、縦方向のものとして例示説明しているが、桟材４０は、このような縦方向だけでなく、横方向であってもよいし、あるいは格子状のものであってもよい。面材ではなく、間隔を有する桟材として存在するものであれば任意の形態であってよい。
【００２１】
以上のような実施形態として例示される本発明の防音構造では、たとえば既存壁１が厚み１８０ｍｍのコンクリート（ＲＣ）で、テレビを収納した壁面固定収納体２０での音圧特性が、図３に示したように中心周波数６３Ｈｚの低音域の音圧レベル（ｄＢ）８７〜８８の場合について測定すると、従来の面材を備えたふかし壁構造：Ｉでは音源室である部屋Ａと隣室の部屋Ｂとの室間音圧レベル差（ｄＢ）が２８未満であっても、本発明の構造：ＩＩでは、これを３３以上と大幅に改善することができ、壁全体としての遮音性能の低下を顕著に防ぐことができる。なお、図３においては、１２５Ｈｚにおいてはふかし壁構造：Ｉの場合に若干良好な結果となっているが、もともと室間音圧レベル差がどちらも３５ｄＢ以上あり、所定の遮音性能はクリアしている。本発明では、図３に示されているように、従来のふかし壁構造では対応することができなかった６３Ｈｚの超低域の遮音効果が得られることに大きな特徴がある。
【００２２】
このように顕著な効果が実現される本発明の防音構造では、壁面固定収納体２０は各種の形態であってよく、テレビ、ステレオ、ＤＶＤ、その他の音を発生する音響機器や音響部材を収納し、その使用部材も木質材等の各種の素材や寸法のものであってよい。
【００２３】
もちろん、本発明は以上の例示に限定されることはない。その細部においても、たとえば桟材４０の素材、寸法、相互の間隔、そしてその固定方法等についても様々な形態が考慮されてよい。
【図面の簡単な説明】
【００２４】
【図１】壁面固定収納体２０が天井まである第１の実施形態について例示した正面図とａ−ａ矢視断面図である。
【図２】壁面固定収納体２０が天井までない場合の第２の実施形態について例示した正面図とｂ−ｂ矢視断面図である。
【図３】本発明構造の遮音効果の測定例を示した図である。
【図４】従来のふかし壁構造について例示した断面図である。
【図５】テレビ６を収納した壁面固定収納体２を例示した斜視図である。
【図６】テレビ６を収納した壁面固定収納体２を従来のふかし壁構造に固定配置した例を示した断面図である。
【符号の説明】
【００２５】
１    既存壁
２、２０    壁面固定収納体
３    隙間
４、４０    桟材
５、５０    面材
６    テレビ
７    床面
８    天井
１０    空き平面部
９０    内壁面
【図１】
0004742747.tif 000002
【図２】
0004742747.tif 000003
【図３】
0004742747.tif 000004
【図４】
0004742747.tif 000005
【図５】
0004742747.tif 000006
【図６】
0004742747.tif 000007